(57)【要約】【課題】組立作業の簡素化を図る上で有利なカメラモジュールを提供する。【解決手段】カメラモジュール２２は、収容空間Ｓを有する鏡筒部６６と、撮影光学系３４を保持し収容空間Ｓに収容され撮影光学系３４の光軸に沿って移動可能に支持されたレンズ保持部６８と、鏡筒部６６に設けられ撮影光学系３４によって導かれる被写体像を撮像する撮像素子３１と、レンズ保持部６８を撮影光学系３４の光軸に沿って移動させる駆動部７２とを備えている。鏡筒部６６は、収容空間Ｓが形成された内側鏡筒８０と、内側鏡筒８０の外側に配置される外側鏡筒７８とを有している。係止板８６は、前板部８６Ａと、２つの側板部８６Ｂとを備えている。係止板８６は、前板部８６Ａが外側鏡筒７８の前端に係止し２つの側板部８６Ｂの先端が後端面壁８００２に係止した状態で、内側鏡筒８０と外側鏡筒７８とを光軸方向において挟持する。【選択図】図１５
2008111867.tif 000002
【特許請求の範囲】
【請求項１】
収容空間を有する鏡筒部と、
撮影光学系を保持し前記収容空間に収容され前記撮影光学系の光軸に沿って移動可能に支持されたレンズ保持部と、
前記鏡筒部に設けられ前記撮影光学系によって導かれる被写体像を撮像する撮像素子と、
前記レンズ保持部を前記撮影光学系の光軸に沿って移動させる駆動部とを備え、
前記鏡筒部は、前記収容空間が形成された内側鏡筒と、前記内側鏡筒の外側に配置される外側鏡筒とを有し、
前記内側鏡筒は、前記光軸と直交する面上を延在し前記外側鏡筒の前記光軸方向の後端を閉塞し前記撮像素子が収容される開口が形成された後端面壁を有し、
前記外側鏡筒の前記光軸方向の前端に係止して前記前端を覆う前板部と、前記前板部の両側から屈曲されその先端が前記後端面壁に係止する２つの側板部と、前記前板部に形成され前記撮影光学系の光路を確保するための開口とを有する係止板が設けられ、
前記前板部が前記外側鏡筒の前記前端に係止し前記２つの側板部の先端が前記後端面壁に係止した状態で、前記内側鏡筒と前記外側鏡筒とは前記光軸方向において前記係止板により挟持される、
ことを特徴とするカメラモジュール。
【請求項２】
前記内側鏡筒の外側に前記外側鏡筒が配置された状態で、それら鏡筒は前記光軸と直交する方向においてがたつくことなく結合される、
ことを特徴とする請求項１記載のカメラモジュール。
【請求項３】
前記外側鏡筒の外周の前記光軸を挟んだ箇所に、前記光軸を通る単一の仮想平面に対して平行する平面部がそれぞれ形成され、
前記前板部が前記外側鏡筒の前記前端に係止し前記２つの側板部の先端が前記後端面壁に係止した状態で、前記２つの側板部は前記平面部にそれぞれ当接される、
ことを特徴とする請求項１記載のカメラモジュール。
【請求項４】
前記後端面壁が前記光軸方向の前方に臨む箇所に前記光軸と直交する仮想平面上を延在する第１の当て付け面が形成され、
前記外側鏡筒の前記光軸方向の後端に前記光軸と直交する仮想平面上を延在する第２の当て付け面が形成され、
前記内側鏡筒の外側に前記外側鏡筒が配置された状態で、前記第１の当て付け面と前記第２の当て付け面とが当接される、
ことを特徴とする請求項１記載のカメラモジュール。
【請求項５】
前記外側鏡筒の前記光軸方向の前端に前記光軸と直交する仮想平面上を延在する第３の当て付け面が形成され、
前記前板部が前記第３の当て付け面に当て付けられることで、前記前板部が前記外側鏡筒の前記前端に係止する、
ことを特徴とする請求項１記載のカメラモジュール。
【請求項６】
前記外側鏡筒の前記光軸方向の前端に前記光軸と直交する仮想平面上を延在する第３の当て付け面が形成され、
前記前板部が前記第３の当て付け面に当て付けられることで、前記前板部が前記外側鏡筒の前記前端に係止し、
前記第３の当て付け面に凸部が設けられ、
前記前板部に前記凸部に係合可能な欠部が設けられ、
前記凸部と前記欠部が係合することで、前記光軸と直交する仮想平面上において前記外側鏡筒の前記光軸方向の前端に対する前記前板部の位置決めがなされる、
ことを特徴とする請求項１記載のカメラモジュール。
【請求項７】
前記後端面壁の外周の前記光軸を挟んだ２箇所にそれぞれ係止用の突起が設けられ、
前記側板部の先端に係止用の欠部が設けられ、
前記２つの側板部の先端の前記後端面壁への係止は、前記突起と前記欠部とが係止することでなされる、
ことを特徴とする請求項１記載のカメラモジュール。
【請求項８】
前記鏡筒部は、前記内側鏡筒の外側に外側鏡筒が配置された状態で、前記光軸方向に沿った厚さと、前記厚さよりも大きな寸法の縦と横を有する矩形板状の輪郭を呈し、
前記前板部は矩形を呈し、
前記側板部は、前記前板部の対向する１組の辺からそれぞれ屈曲されている、
ことを特徴とする請求項１記載のカメラモジュール。
【請求項９】
前記駆動部はマグネットとコイルとを含み、前記マグネットおよび前記コイルの一方が前記レンズ保持部に設けられ、前記マグネットおよび前記コイルの他方が前記鏡筒部に設けられている、
ことを特徴とする請求項１記載のカメラモジュール。
【請求項１０】
前記係止板は磁気遮蔽性を有する材料で形成されている、
ことを特徴とする請求項１記載のカメラモジュール。
【請求項１１】
前記係止板は電磁遮蔽性を有する材料で形成されている、
ことを特徴とする請求項１記載のカメラモジュール。
【請求項１２】
前記係止板は導電性を有する材料で形成されている、
ことを特徴とする請求項１記載のカメラモジュール。
【請求項１３】
前記前板部が前記外側鏡筒の前端に臨む内面と反対側に位置する外面に光の反射を防止する表面処理が施されている。
ことを特徴とする請求項１記載のカメラモジュール。
【請求項１４】
前記表面処理は、塗料による塗装、あるいは、めっき処理である、
ことを特徴とする請求項１３記載のカメラモジュール。
【発明の詳細な説明】
【技術分野】
【０００１】
本発明は例えば携帯用の電子機器などに組み込まれるカメラモジュールに関する。
【背景技術】
【０００２】
近年、カメラモジュールが組み込まれた携帯電話機、あるいはＰＤＡ（Ｐｅｒｓｏｎａｌ  Ｄｉｇｉｔａｌ  Ａｓｓｉｓｔａｎｔｓ）などの電子機器が提供されている。
カメラモジュールは、撮影光学系を保持するレンズ保持部と、レンズ保持部を収容する鏡筒部と、撮影光学系によって導かれる被写体像を撮像する撮像素子と、レンズ保持部を光軸に沿って移動させる駆動部とを備えている。
このようなカメラモジュールとして、鏡筒部が、前後２つの鏡筒部分で構成され、それら前後の鏡筒部分を接着で固定するものが提案されている（特許文献１参照）。
【特許文献１】特開２００６−２２７１０３
【発明の開示】
【発明が解決しようとする課題】
【０００３】
このような従来のカメラモジュールでは、前後２つの鏡筒部分を接着剤を用いて接着するので、接着剤の塗布量や硬化条件の調整および管理が煩雑で、接着剤の硬化時間を確保する必要があるため、組み立て作業に手間がかかり、コストダウンを図る上で不利があった。
本発明はこのような事情に鑑みなされたものであり、本発明の目的は組立作業の簡素化を図りコストダウンを図る上で有利なカメラモジュールを提供することにある。
【課題を解決するための手段】
【０００４】
上述の目的を達成するため、本発明のカメラモジュールは、収容空間を有する鏡筒部と、撮影光学系を保持し前記収容空間に収容され前記撮影光学系の光軸に沿って移動可能に支持されたレンズ保持部と、前記鏡筒部に設けられ前記撮影光学系によって導かれる被写体像を撮像する撮像素子と、前記レンズ保持部を前記撮影光学系の光軸に沿って移動させる駆動部とを備え、前記鏡筒部は、前記収容空間が形成された内側鏡筒と、前記内側鏡筒の外側に配置される外側鏡筒とを有し、前記内側鏡筒は、前記光軸と直交する面上を延在し前記外側鏡筒の前記光軸方向の後端を閉塞し前記撮像素子が収容される開口が形成された後端面壁を有し、前記外側鏡筒の前記光軸方向の前端に係止して前記前端を覆う前板部と、前記前板部の両側から屈曲されその先端が前記後端面壁に係止する２つの側板部と、前記前板部に形成され前記撮影光学系の光路を確保するための開口とを有する係止板が設けられ、前記前板部が前記外側鏡筒の前記前端に係止し前記２つの側板部の先端が前記後端面壁に係止した状態で、前記内側鏡筒と前記外側鏡筒とは前記光軸方向において前記係止板により挟持されることを特徴とする。
【発明の効果】
【０００５】
そのため、本発明によれば、内側鏡筒と外側鏡筒とを係止板を用いることによって光軸方向に挟持するため、接着剤の塗布量や硬化条件の調整および管理が不要となりまた、接着剤の硬化時間も不要となるため、組み立て作業が大幅に簡素化されコストダウンを図る上で有利となる。
【発明を実施するための最良の形態】
【０００６】
まず、本発明の実施の形態を説明する前に第１の参考例から説明する。
図１（Ａ）、（Ｂ）は第１の参考例に係るカメラモジュール２２を有する撮像装置２０が組み込まれた電子機器の一例を示す外観図である。
図１に示すように電子機器１０は携帯電話機であり、ヒンジ部１２によって揺動可能に連結された第１、第２の筐体１４、１６を有している。
第１の筐体１４の内面には液晶表示パネル１４０２が設けられ、第２の筐体１６の内面にはテンキーや機能キーなどの操作スイッチ１６０２が設けられている。
撮像装置２０は、第１の筐体１４の基端部に組み込まれ、撮像装置２０で撮像した画像は液晶表示パネル１４０２に表示されるように構成されている。
【０００７】
図２は撮像装置２０を構成するカメラモジュール２２とソケット２４の分解斜視図、図３はソケット２４の平面図、図４は基板３０の平面図、図５はカメラモジュール２２、ソケット２４およびカバー２６の分解斜視図、図６は図５のＡＡ線断面図、図７は図５のＢＢ線断面図、図８は図７のＡ部拡大図である。
図２、図５に示すように、撮像装置２０は、カメラモジュール２２と、カメラモジュール２２が装着されるソケット２４と、ソケット２４に装着されるカバー２６とを含んで構成されている。
図２に示すように、カメラモジュール２２は、ケース２８と、撮像素子２９（図７参照）と、信号処理部と、基板３０と、接片３２（図４参照）とを含んで構成されている。
ケース２８は、長方形板状（矩形板状）を呈し、厚さ方向の一方に位置する上面２８０２と、厚さ方向の他方に位置する下面２８０４と、２つの長辺に沿って位置する２つの長辺側側面２８０６と、２つの短辺に沿って位置する２つの短辺側側面２８０８とを備えている。
ケース２８には被写体像を前記撮像素子に導く撮影光学系３４が組み込まれ、撮影光学系３４はケース２８の上面２８０２に臨むように配置されている。
第１の参考例では、ケース２８は合成樹脂製で、図２に示すように、上面２８０２および２つの長辺側側面２８０６を覆うようにカメラ本体用遮蔽板２８１０が設けられている。
したがって、第１の参考例では、ケース２８は導電性を有するカメラ本体用遮蔽板２８１０を含んで構成されている。
【０００８】
撮像素子２９は、撮影光学系３４によって導かれた被写体像を撮像するものであり、ケース２８の内部で撮影光学系３４の後方（撮像側）の箇所に組み込まれている。
前記信号処理部は、撮像素子２９から出力される撮像信号を入力して所定の信号処理を行なうものである。
【０００９】
基板３０は、図２に示すように、ケース２８の下面２８０４に取着され、長方形状（矩形状）を呈している。
基板３０がケース２８に臨む上面３００２には、撮像素子２９および前記信号処理部を構成する複数の電子部品３１が実装されている。
図４に示すように、複数の接片３２（接続パッド）は、基板３０がケース２８と反対側に臨む下面３００４の２つの長辺に沿って並べられて形成されている。
【００１０】
図２に示すように、ソケット２４は、ソケット本体３６と、ソケット用遮蔽板３８と、弾性片４０と、複数の接続端子４２と、係合部４１（図７参照）とを備えている。
ソケット本体３６は絶縁性を有する材料で形成され、本例では絶縁性を有する合成樹脂で形成されている。
ソケット本体３６は、カメラモジュール２２の基板３０よりも大きい輪郭の長方形状（矩形板状）の底壁３６０２と、底壁３６０２の４辺から起立する４つの側壁３６０４とを有し、底壁３６０２上で４つの側壁３６０４の内側にカメラモジュール２２が収容される大きさで形成されている。
本例では、４つの側壁３６０４は、底壁３６０２の２つの長辺から起立する２つの長辺側側壁３６０６と、底壁３６０２の２つの短辺から起立する２つの短辺側側壁３６０８とで構成されている。
図２、図３に示すように、底壁３６０２の互いに対向する２つの長辺には、複数の接続端子４２を配置するための複数の切り欠き３６１０がそれら長辺に沿って並べられて形成されている。
複数の接続端子４２は、図３、図６、図７に示すように、この底壁３６０２の切り欠き３６１０に、基板３０の接片３２に接続可能で底壁３６０２の厚さ方向に弾性変形可能に配設されている。
なお、ソケット２４は、電子機器１０に設けられた不図示の基板上に実装され、複数の接続端子４２の基端が前記基板上の接続パッドに半田付けを介して電気的に接続される。
また、図２に示すように、各長辺側側壁３６０６には、弾性片４０を収容するための欠部３６２０が長辺側側壁３６０６の長手方向に沿って延在して設けられ、各短辺側側壁３６０８には、弾性片４０を収容するための欠部３６３０が短辺側側壁３６０８の長手方向に間隔をおいて２つ設けられている。
【００１１】
ソケット用遮蔽板３８は４つ設けられ、ソケット本体３６の４つの側壁３６０４に組み付けられる。
本例では、ソケット本体３６はソケット用遮蔽板３８を含んで構成されている。
４つの側壁３６０４は互いに向かい合う内面とこの内面と反対に位置する外面とを有し、ソケット用遮蔽板３８はそれぞれ側壁３６０４の外面を覆うように設けられている。
本例では、ソケット用遮蔽板３８は、２つの長辺側側壁３６０６にそれぞれ組み付けられる２つの長辺側遮蔽板４６と、２つの短辺側側壁３６０８にそれぞれ組み付けられる２つの短辺側遮蔽板４８とを含んでいる。
ソケット用遮蔽板３８は、電磁遮蔽性および弾性を有する材料で形成され、ソケット本体３６の４つの側壁３６０４の外面を覆うことにより、ケース２８の４つの側面（長辺側側面２８０６、短辺側側面２８０８）を覆い、ケース２８の４つの側面を電磁遮蔽するものである。ソケット用遮蔽板３８を形成する電磁遮蔽性および弾性を有する材料としては、りん青銅、洋白、ブリキ、銅、あるいは、りん青銅などの銅合金にニッケルなどのめっき処理を行ったもの、あるいは、ステンレス鋼（例えばＳＵＳ３０４）などの導電性を有しかつ磁性を有さない材料を用いることができる。なお、上記電磁遮蔽性を有する材料として磁性体を用いれば、電磁遮蔽効果に加えて磁束シールド効果を奏することができる。
詳細に説明すると、各ソケット用遮蔽板３８（長辺側遮蔽板４６、短辺側遮蔽板４８）の上縁には、それらの延在方向に間隔をおいて取り付け片３８Ａが屈曲形成され、それら取り付け片３８Ａがソケット本体３６の側壁３６０４（長辺側側壁３６０６、短辺側側壁３６０８）の端面に設けられた取り付け溝３６Ａに挿入されることでソケット用遮蔽板３８が各側壁３６０４（長辺側側壁３６０６、短辺側側壁３６０８）の外面に取り付けられている。
そして、ソケット用遮蔽板３８は電子機器１０の基準電位（グランドレベル）に接続され接地されている。例えば、ソケット用遮蔽板３８の部分が、ソケット２４が実装された電子機器１０の基板上に設けられた基準電位（グランドレベル）の接続パッドに半田付けなどにより接続され接地されている。
【００１２】
弾性片４０は各ソケット用遮蔽板３８と一体に設けられ、各ソケット用遮蔽板３８の延在方向に間隔をおいて２つずつ設けられている。
図２に示すように、弾性片４０は各ソケット用遮蔽板３８に一体に形成され、底壁３６０２から離れたソケット用遮蔽板３８の上端から屈曲部４００１を介して側壁３６０４の内面側で底壁３６０２方向に延在している。
弾性片４０は、各ソケット用遮蔽板３８が取り付け片３８Ａを介してソケット本体３６の側壁３６０６、３６０８に取り付けられた状態で、各側壁３６０６、３６０８の内面の内側に位置するように設けられている。
より詳細には、各長辺側側壁３６０６では、弾性片４０は欠部３６２０に臨むように設けられ、各短辺側側壁３６０８では、弾性片４０は欠部３６３０に臨むように設けられ、弾性片４０は各側壁３６０６、３６０８の厚さ方向に弾性変形可能である。より詳細には、弾性片４０の各側壁３６０６、３６０８の外面方向への弾性変形は、欠部３６２０、３６３０内で行われる。
【００１３】
図６、図７に示すように、弾性片４０の中間部には、ソケット本体３６の内側に突出する屈曲部４００２が設けられ、ソケット本体３６の内側にカメラモジュール２２が収容された状態で、屈曲部４００２がケース２８の長辺側側面２８０６、短辺側側面２８０８に接触することによって、各側面２８０６、２８０８と各側壁３６０６、３６０８の内面との間に隙間Ｓ１を確保した状態でカメラモジュール２２が弾性支持される。
より詳細には、ケース２８にカメラ本体用遮蔽板２８１０が取着され、ケース２８の長辺側側面２８０６にカメラ本体用遮蔽板２８１０の側面部２８１０Ｂが位置しているため、本例では、屈曲部４００２がケース２８の長辺側側面２８０６に直接接触せずにカメラ本体用遮蔽板２８１０の側面部２８１０Ｂに接触し、言い換えると、屈曲部４００２はカメラ本体用遮蔽板２８１０の側面部２８１０Ｂを介してケース２８の長辺側側面２８０６に間接的に接触している。したがって、本例では、カメラ本体用遮蔽板２８１０の側面部２８１０Ｂに長辺側遮蔽板４６の弾性片４０が当接することでカメラ本体用遮蔽板２８１０は長辺側遮蔽板４６を介して接地されることになる。
また、図５のＣ矢視図である図９に示すように、各ソケット用遮蔽板３８の延在方向の両端は、ソケット本体３６の４つの角部において互いに重ね合わされ電気的に導通され、これにより４つのソケット用遮蔽板３８によりソケット本体３６の側面の全周全域が電磁遮蔽されている。より詳細に説明すると、例えば、互いに隣り合うソケット用遮蔽板３８の一方の端部に屈曲板部３８１０が形成され、この屈曲板部３８１０が互いに隣り合うソケット用遮蔽板３８の他方の端部３８１１に重ね合わされ、それら屈曲板部３８１０と端部３８１１はソケット用遮蔽板３８が有する弾性により互いに接触する方向に常時付勢されている。
【００１４】
図７に示すように、係合部４１は、カメラモジュール２２が底壁３６０２上で４つの側壁３６０４の内側に収容された際に、カメラモジュール２２の部分に係合しカメラモジュール２２がソケット２４の底壁３６０２から離れる方向への移動を阻止するものであり、カメラモジュール２２が底壁３６０２上で４つの側壁３６０４の内側に収容され、係合部４１がカメラモジュール２２の部分に係合することで、ソケット２４へのカメラモジュール２２の装着状態が形成される。
このカメラモジュール２２の装着状態で、複数の接続端子４２は弾性変形され基板３０の複数の接片３２に電気的に接続すると共にカメラモジュール２２をケース２８の上面２８０２方向に付勢する。これにより、カメラモジュール２２の基板３０とソケット２４の底壁３６０２との間に隙間Ｓ２を確保した状態で基板３０の接片３２と接続端子４２とが常時確実に接触されることになる。
係合部４１はソケット本体３６に設けられ、本例では、係合部４１は、短辺側側壁３６０８に取着された遮蔽板３８の弾性片４０の屈曲部４００２により形成され、カメラモジュール２２をソケット２４の内側に挿入した際に、この屈曲部４００２がケース２８の短辺側側面２８０８の凸部２８２０に係止することで、カメラモジュール２２のソケット２４の底壁３６０２から離れる方向への移動が阻止される。
【００１５】
また、図５、図７に示すように、ソケット本体３６の短辺側側壁３６０８には、カバー２６の部分に当接してカバー２６のケース２８の上面２８０２方向への変位を阻止するストッパ６２が設けられている。
本例では、ストッパ６２は、各短辺側遮蔽板４８の外面にその延在方向に間隔をおいて突出形成された２つの係止凸部４８０２によって構成されている。
また、本例では、図５に示すように、ソケット本体３６の長辺側側壁３６０６には、カバー２６に係脱可能に係合しケース２８の厚さ方向におけるソケット２４に対するカバー２６の位置決めを行なう位置決め用係合部６４が設けられている。
また、本例では、位置決め用係合部６４は、２つの長辺側遮蔽板４６の外面に、長辺側遮蔽板４６の延在方向に間隔をおいて形成された２つの係合凹部６４０２によって構成されている。
【００１６】
カバー２６は、電磁遮蔽性および弾性を有する材料で形成されている。電磁遮蔽性および弾性を有する材料としては、りん青銅、洋白、ブリキ、銅、あるいは、りん青銅などの銅合金にニッケルなどのめっき処理を行ったもの、あるいは、ステンレス鋼（例えばＳＵＳ３０４）などの導電性を有しかつ磁性を有さない材料を用いることができる。なお、上記電磁遮蔽性を有する材料として磁性体を用いれば、電磁遮蔽効果に加えて磁束シールド効果を奏することができる。
図５、図７に示すように、カバー２６は、上面部５０と、側面部５２とを備えている。
上面部５０は、ケース２８の上面２８０２を覆うものであり、側面部５２は、４つのソケット用遮蔽板３８を覆うものである。
上面部５０が撮影光学系３４に臨む箇所に開口５００２が形成され、開口５００２に透明なレンズカバー５８が設けられている。
詳細に説明すると、レンズカバー５８は円板状を呈し、円環状の両面粘着テープ５８０２を介して上面部５０の外面に接着されている。
また、上面部５０の内面には、開口５００２の周囲に沿って延在する弾性材料からなる円環状の防塵用部材６０が設けられている。防塵用部材６０は円環状の両面粘着テープ６００２を介して上面部５０の内面に接着されている。防塵用部材６０を構成する弾性材料としては、発泡ポリウレタンなどのスポンジ状の材料を用いることができる。
【００１７】
図５に示すように、側面部５２は、ソケット２４の２つの長辺側遮蔽板４６を覆う長辺側側面部５４と、ソケット２４の２つの短辺側遮蔽板４８を覆う短辺側側面部５６とを備えている。
そして、カバー２６の短辺側側面部５６の下縁が遮蔽板３８の係止凸部４８０２に係止することでカバー２６のケース２８の上面２８０２方向への変位が阻止される。
また、ソケット２４の係合凹部６４０２に対応するカバー２６の長辺側側面部５４の内側箇所に係合凹部６４０２と係脱する係合凸部５４０２が設けられ、それら係合凸部５４０２が係合凹部６４０２に係合することでケース２８の厚さ方向におけるカバー２６の位置決めがなされる。
このようにカバー２６の側面部５２とソケット本体３６の側壁３８とに、互いに係脱可能に係合し、ケース２８の厚さ方向におけるソケット２４に対するカバー２６の位置決めを行なう係合凹部６４０２、係合凸部５４０２を設けることで、カバー２６のソケット２４からの脱落を防止する上で有利となり、撮像装置２０を単体で取り扱う際の作業性の向上、あるいは、撮像装置１０を電子機器１０に組み込む際の作業性の向上を図る上で有利となっている。
本例では、カメラモジュール２２が装着されたソケット２４にカバー２６が装着された状態で係合凸部５４０２と係合凹部６４０２とが係合し、同時に、カバー２６の短辺側側面部５６の下縁が遮蔽板３８の係止凸部４８０２に係止する。
【００１８】
撮像装置２０の組み立ては、電子機器１０の基板に実装されたソケット２４にカメラモジュール２２を装着し、その上からカバー２６をソケット２４に装着することでなされ、これにより撮像装置２０が完成する。
そして、このように構成された撮像装置２０は、図１（Ａ）に示すように、電子機器１０の第１の筐体１４に設けられた開口１４１０に、レンズカバー５８を臨ませた状態で第１の筐体１４内部に組み込まれる。
【００１９】
次にソケット２４の変形例について説明する。
この変形例では、ストッパ６２の構成が異なっており、それ以外の構成は上述のソケット２４と同様である。
図１０は撮像装置２０の断面図であり、以下では図１乃至図９と同様の部分、部材には同一の符号を付して説明する。
前述の構成では、ストッパ６２を各短辺側遮蔽板４８の外面にその延在方向に間隔をおいて突出形成された２つの係止凸部４８０２によって構成したが、変形例では、各短辺側遮蔽板４８の上端の屈曲部４００１により構成した点が前述の構成と異なっており、その他の構成は前述の構成と同様である。
変形例では、図１０に示すように、カバー２６の短辺側側面部５６に、屈曲部４００１に係止する係止部５６１０が形成され、屈曲部４００１と係止部５６１０が係止することでカバー２６のケース２８の上面２８０２方向への変位が阻止される。
【００２０】
次に、カメラモジュールの支持構造について説明する。
図２に示すように、撮像装置２０では、上述のように、ケース２８の４つの側面（長辺側側面２８０６、短辺側側面２８０８）に弾接し、複数の接片３２と複数の接続端子４２とを接続した状態で４つの側壁３６０４との間に隙間Ｓ１を確保してカメラモジュール２２を底壁３６０２上で４つの側壁３６０４の内側に弾性支持する弾性片４０が各側壁３６０４にそれぞれ設けられている。
弾性片４０は、該弾性片４０が設けられた側壁３６０４の厚さ方向に弾性変形可能に設けられている。
そして、弾性片４０に対応する各側壁３６０４の箇所に、弾性片４０が弾性変形を行うための弾性変形用欠部３６２０、３６３０が形成されている。
弾性変形用欠部３６２０、３６３０は、側壁３６０４の厚さ方向に貫通形成されている。
【００２１】
また、図２に示すように、弾性片４０は、各側壁３６０４の延在方向に間隔をおいた２箇所に弾接するように２つ設けられている。
そして、短辺側側壁３６０８に設けられた弾性変形用欠部３６３０は、それら２つの弾性片４０に対応した側壁３６０４の２箇所にそれぞれ設けられている。
また、長辺側側壁３６０６に設けられた弾性変形用欠部３６２０は、それら２つの弾性片４０が弾性変形できる大きさの単一の欠部で構成されている。
それら弾性変形用欠部３６２０、３６３０は、側壁３６０４の厚さ方向に貫通し底壁３６０２から離れた側壁３６０４の上端に開放状に形成されている。
【００２２】
撮像装置２０では、上述のように、電磁遮蔽性および弾性を有する材料で形成され４つの側壁３６０４を覆うソケット用遮蔽板３８が設けられ、ソケット用遮蔽板３８は各側壁３６０４に取着されて配設され、弾性片４０はソケット用遮蔽板３８に一体に形成されている。
４つの側壁３６０４は、それぞれ互いに向かい合う内面と、この内面と反対に位置する外面とを有し、ソケット用遮蔽板３８は、図２に示すように、各側壁３６０４に取着されて配設され各側壁３６０４の外面を覆う本体板部３８２０を有している。
弾性片４０は本体板部３８２０に一体に形成されている。
弾性片４０は、図２に示すように、底壁３６０２から離れた本体板部３８２０の上端から第１の屈曲部４００１を介して本体板部３８２０から側壁３６０４の内面方向に離れた箇所で底壁３６０２方向に延在している。
また、本体板部３８２０に取り付け片３８Ａが一体に形成されている。
取り付け片３８Ａは、底壁３６０２から離れた本体板部３８２０の上端の箇所で第１の屈曲部４００１と離れた箇所から第２の屈曲部３８０１を介して本体板部３８２０から側壁３６０４の内面方向に離れた箇所で底壁３６０２方向に延在している。
ソケット用遮蔽板３８の側壁３６０４への取着は、側壁３６０４の上端に開口し側壁３６０４の高さ方向に沿って延在する取り付け溝３６Ａに取り付け片３８Ａが挿入され、取り付け片３８Ａと本体板部３８２０とで取り付け溝３６Ａを構成する側壁３６０４の部分を挟持することでなされている。
また、長辺側側壁３６０６に設けられた単一の欠部をなす弾性変形用欠部３６２０に対応する箇所では、底壁３６０２から離れた本体板部３８２０の上端から第３の屈曲部３８０２を介して本体板部３８２０から側壁３６０４の内面方向に離れた箇所で底壁３６０２方向に延在し弾性変形用欠部３６２０（単一の欠部）を覆う折り返し片３８０３が設けられ、折り返し片３８０３と本体板部３８２０とにより電磁遮蔽性が高められている。
そして、長辺側側壁３６０６に設けられる２つの弾性片４０は、２つの第１の屈曲部４００１とともに、折り返し片３８０３に切り欠き３８０４を介して形成されている。
【００２３】
次にソケット用遮蔽板の構成について説明する。
上述のように撮像装置２０では、図２に示すように、４つの側壁３６０４は、それぞれ互いに向かい合う内面と、この内面と反対に位置する外面とを有し、電磁遮蔽性および弾性を有する材料で形成され各側壁３６０４に取着されて４つの側壁３６０４の外面を覆う複数のソケット用遮蔽板３８が設けられ、それらソケット用遮蔽板３８は、取り付け片３８Ａを取り付け溝３６Ａに挿入することで側壁３６０４に取着されるように構成されている。
そして、図９に示すように、隣り合う各ソケット用遮蔽板３８の端部３８１０、３８１１は、ソケット本体３６の隣り合う側壁３６０４が交わる角部３６５０において重ねあわされそれら各ソケット用遮蔽板３８が有する弾性により互いに接触する方向に付勢されている。
ソケット用遮蔽板３８は、４つの側壁３６０４に対応して４つ設けられ、隣り合う各ソケット用遮蔽板３８の端部３８１０、３８１１は、４つの角部３６５０においてそれぞれ重ねあわされそれら各ソケット用遮蔽板３８が有する弾性により互いに接触する方向に付勢されている。
また、図１１に示すように、ソケット用遮蔽板３８は、４つの側壁３６０４のうちの隣り合う２つの側壁３６０４を覆うように２つ設けられ、隣り合う各ソケット用遮蔽板３８の端部３８１０、３８１１は、２つの角部３６５０においてそれぞれ重ねあわされそれら各ソケット用遮蔽板３８が有する弾性により互いに接触する方向に付勢されている。
【００２４】
隣り合う各ソケット用遮蔽板３８の端部３８１０、３８１１は、側壁３６０４と同じ高さを有している。
そして、図２、図９、図１１に示すように、角部３６５０に、側壁３６０４の高さ方向の全長にわたって延在する凹部３６６０が設けられている。
隣り合う各ソケット用遮蔽板３８の端部３８１０、３８１１は、凹部３６６０内においてそれらの高さ方向の全長にわたって重ねあわされ互いに接触する方向に付勢されている。
隣り合う各ソケット用遮蔽板３８の端部３８１０、３８１１について詳細に説明すると、図９に示すように、一方の端部３８１０は、側壁３６０４に平行して配置され側壁３６０４を覆う本体板部３８２０の端部から直角に折り曲げられた第１当接板部３８１０として形成されている。第１当接部３８１０は、側壁３６０４と同じ高さを有している。
他方の端部３８１１は、本体板部３８２０の端部に屈曲部３８１５を介して連接されソケット用遮蔽板３８の厚さ分側壁３６０４の内面方向に変位し本体板部３８２０と平行して延在する第２当接板部３８１１として形成されている。第２当接板部３８１１は、側壁３６０４と同じ高さを有している。
隣り合う各ソケット用遮蔽板３８はこのような第１当接板部３８１０と第２当接板部３８１１とが重ねあわされそれらの高さ方向の全長にわたって互いに接触する方向に付勢されている。
【００２５】
次に、カメラモジュール２２の構成について詳細に説明する。
図１２、図１３はカメラモジュール２２の斜視図、図１４はカメラモジュール２２の分解斜視図、図１５はカメラモジュール２２の組み立て説明図、図１６は図１３のＡＡ線断面図である。
カメラモジュール２２は、前述したように、ケース２８と、撮像素子２９と、信号処理部と、基板３０と、接片３２に加え、図１４乃至図１６に示すように、レンズ保持部６８と、スプリング７０と、駆動部７２などを含んで構成されている。
第１の参考例では、ケース２８は鏡筒部６６により構成され、鏡筒部６６は前鏡筒７８と後鏡筒８０とを含んで構成されている。
【００２６】
図１７は前スプリング７０Ａが取着された前鏡筒７８の後面図である。
鏡筒部６６は、図１６に示すように、レンズ保持部６８を収容するための収容空間Ｓを有している。
鏡筒部６６は、前鏡筒７８と後鏡筒８０とが結合されることで構成され、前鏡筒７８は、図１４、図１６、図１７に示すように、撮影光学系３４の光軸の周囲に位置し収容空間Ｓの側面を仕切る周壁７８０２を含んで構成されている。
前鏡筒７８は合成樹脂材料を金型で成形することで形成され、周壁７８０２は４つの側壁を有する矩形枠状を呈している。
より詳細には周壁７８０２は、図１７に示すように、互いに対向する１組の第１側壁７８０２Ａと、互いに対向する残りの１組の第２側壁７８０２Ｂとを有している。
それら側壁７８０２Ａ、７８０２Ｂは前記光軸方向に沿った高さとこの高さに直交する方向の幅を有し、第１の参考例では、図１５、図１７に示すように、２つの第１側壁７８０２Ａの内面で幅方向の中央に膨出壁７８０８が高さ方向に沿って延在形成されている。
この膨出壁７８０８の前端に、膨出壁７８０８の幅方向の両端に突出する突起７８１０が形成され、膨出壁７８０８の後端に、図１７に示すように、二股状のスプリング用押さえ片７８１２が突出形成されている。
また、２つの第１側壁７８０２Ａの後端に、後鏡筒８０に結合するための係合ピン７８１４がそれぞれ突設されている。
【００２７】
図１８、図１９はコイル７６が取着された後鏡筒８０の斜視図、図２０、図２１はコイル７６および基板３０が取着された後鏡筒８０の斜視図、図２２は後鏡筒８０の平面図、図２３は基板３０、光学フィルタ３１およびコイル７６が取着された後鏡筒８０の平面図、図２４は図２０のＢＢ線断面図である。
後鏡筒８０は、図１４、図１６、図２２に示すように、後端面壁８００２と、コイル取着用壁部８００４と、開口８００６と、係合突起８００１とを有している。
後端面壁８００２は、前記光軸と直交する面上を延在し収容空間Ｓの前記光軸方向の後端を閉塞する矩形状に形成されている。
図１８、図１９、図２０に示すように、後端面壁８００２は、互いに対向する２組の辺８００２Ａ、８００２Ｂを有し、一方の１組の辺８００２Ａに、係合ピン７８１４が係合される係合孔８０３０が形成されている。
そして、残りの１組の辺８００２Ｂにコイル取着用壁部８００４が設けられ、言い換えると、コイル取着用壁部８００４は、前記光軸を挟んだ後端面壁８００２の２箇所に設けられている。
コイル取着用壁部８００４はコイル７６を取り付けるためのものであり、コイル取着用壁部８００４は後端面壁８００２から前鏡筒７８の周壁７８０２の内側に収容されるように突設されている。
【００２８】
図１８、図２２に示すように、各コイル取着用壁部８００４は、辺８００２Ｂの両側の後端面壁８００２箇所から突設された２つの柱壁８０２０と、２つの柱壁８０２０の高さ方向の中間を接続する接続壁８０２２とを有している。
第１の参考例では、図２２、図２３に示すように、２つの柱壁８０２０がそれぞれ外側に臨む面が、同一面上を延在するコイル当て付け面８０２０Ａとして形成されている。
また、第１の参考例では、接続壁８０２２は、２つの柱壁８０２０のコイル当て付け面８０２０Ａから外側に膨出し辺８００２Ｂの延在方向に沿って細長形状に形成されている。
開口８００６は、前記光軸上に位置する後端面壁８００４の箇所に矩形状に設けられ、開口８００６は撮像素子２９が収容されるものである。
係合突起８００１は、コイル取着用壁部８００４が設けられた後端面壁８００２の外端面（残りの１組の辺８００２Ｂ）にそれぞれ突出形成されている。
【００２９】
図１９、図２４に示すように、後端面壁８００２の前面で辺８００２Ａの箇所には、後スプリング７０Ｂを取り付けるための取付部８０１０が設けられ、取付部８０１０は、２つの取り付け面８０１２と、各取り付け面８０１２からそれぞれ突設されたピン８０１４とを有している。
図１８、図２２に示すように、後端面壁８００２の前面で各柱壁８０２０の内側には、前記光軸と直交する単一の平面上を延在する４つの当て付け面８００８がそれぞれ形成されている。
第１の参考例では、図２４に示すように、開口８００６内に撮像素子２９が位置した状態で、撮像素子２９の外周を囲む基板３０が後端面壁８００２の後面に接着されるとともに、後端面壁８００２の前面に開口８００６を覆う光学フィルタ３１を接着することで撮像素子２９が封止されている。
第１の参考例では、後鏡筒８０は合成樹脂材料を金型で成形することで形成されている。
第１の参考例では、図１２、図１５に示すように、カメラ本体用遮蔽板２８１０の２つの側面部２８１０Ｂに形成された係合溝２８３０が２つの係合突起８００１に係合することで、カメラ本体用遮蔽板２８１０の上面部２８１０Ａと後鏡筒８０の後端面壁８００２との間に前鏡筒７８が挟持され、これにより前鏡筒７８と後鏡筒８０とが結合されている。
【００３０】
図２５はマグネット７４が取着されたレンズ保持部６８の斜視図、図２６はマグネット７４および後スプリング７０Ｂが取着されたレンズ保持部６８の斜視図、図２７はマグネット７４および後スプリング７０Ｂが取着されたレンズ保持部６８の平面図、図２８はレンズ保持部６８の後面図、図２９は後スプリング７０Ｂが取着されたレンズ保持部６８の後面図である。
レンズ保持部６８は、図１４、図１６、図２５乃至図２９に示すように、撮影光学系３４を保持して収容空間Ｓに収容されるものである。
第１の参考例では、図１４、図１６に示すように、撮影光学系３４は、前方から後方に並んで配置された１群レンズ乃至３群レンズ３４Ａ、３４Ｂ、３４Ｃと、１群レンズ３４Ａと２群レンズ３４Ｂとの間に配置された絞り３４Ｄと、２群レンズ３４Ｂと３群レンズ３４Ｃとの間に配置されたスペーサ３４Ｅを含んで構成されている。
【００３１】
図２５、図２６に示すように、レンズ保持部６８は筒部６８０２を有し、筒部６８０２は撮影光学系３４が配置される内面と、前記内面と反対に位置する外面とを有している。
筒部６８０２の外面の前後には、それぞれ前フランジ６８０４、後フランジ６８０６が形成されている。
また、図２５に示すように、筒部６８０２の外側に周方向に等間隔をおいた４箇所には前フランジ６８０４よりも前方に位置するようにスプリング当接面６８０５が形成されており、これらスプリング当接面６８０５は前記光軸と直交する平面上を延在している。
また、図２５、図２７に示すように、筒部６８０２の前記外面の対向する２箇所に、前記光軸を通る単一の仮想平面に平行するマグネット取り付け用の取り付け面６８０８が形成されている。
そして、取り付け面６８０８の前記光軸方向の前端に、マグネット挟持用の一対の挟持片６８１０が形成されている。
また、図２５、図２９に示すように、後フランジ６８０６の後面の４隅には、前記光軸と直交する単一の平面上を延在する４つの当て付け面６８１２がそれぞれ形成されている。
レンズ保持部６８は合成樹脂材料を金型で成形することで形成されている。
【００３２】
スプリング７０は、図１４、図１６に示すように、収容空間Ｓに配設されレンズ保持部６８を撮影光学系３４の前記光軸に沿って移動可能に支持するものである。
第１の参考例では、スプリング７０は、前スプリング７０Ａと後スプリング７０Ｂとの２つのスプリングで構成され、それらスプリング７０Ａ、７０Ｂは収容空間Ｓ内でレンズ保持部６８の前記光軸に沿って挟んだ箇所と鏡筒部６６との間にそれぞれ配設されている。
前スプリング７０Ａは前鏡筒７８とレンズ保持部６８の間に配設され、後スプリング７０Ｂは後鏡筒８０とレンズ保持部６８の間に配設されるものである。
図２９に示すように、それら２つのスプリング７０Ａ、７０Ｂは、薄く小さい幅の片体から中央に撮影光学系３４の光路用の開口７００１が確保されるように環状に形成されている。
より詳細に説明すると、図１７に示すように、内側に開口７００１が形成された環板部７００２と、環板部７００２の外周に接続された２つの支持片７００４とを有し、前記光軸方向に弾性変形可能に形成されている。
前スプリング７０Ａは、外周の２つの支持片７００４が前鏡筒７８の突起７８１０に取着され、開口７００１にレンズ保持部６８の筒部６８０２の前部が挿通され環板部７００２がレンズ保持部６８の４つのスプリング当接面６８０５（図２５参照）に当接されて前鏡筒７８とレンズ保持部６８の間に配設されている。
第１の参考例では、２つの支持片７００４は前鏡筒７８の成形時に埋め込まれるインサート成形によって突起７８１０（図１７参照）に取着されている。
【００３３】
図２９に示すように、後スプリング７０Ｂは、内側に開口７００１が形成された環板部７０１０と、環板部７０１０の外周に接続された２つの支持片７０１２とを有している。
後スプリング７０Ｂは、環板部７０１０がレンズ保持部６８の後フランジ６８０６の後面に接着されている。
そして、後スプリング７０Ｂの２つの支持片７０１２に形成された孔７０１４（図２９参照）が後鏡筒８０のピン８０１４（図１９参照）に挿通され、支持片７０１２の孔７０１４の周囲の部分が、前鏡筒７８のスプリング用押さえ片７８１２（図１７参照）と、後鏡筒８０の取り付け面８０１２（図１９参照）との間で挟持され、これにより、後スプリング７０Ｂは、後鏡筒８０とレンズ保持部６８の間に配設されている。
【００３４】
そして、コイル７６に通電されずマグネット７４（レンズ保持部６８）に推力が作用していない状態で、前スプリング７０Ａと後スプリング７０Ｂは、レンズ保持部６８を、レンズ保持部６８の各当て付け面６８１２（図２５、図２９参照）が、後鏡筒８０の後端面壁８００２の各当て付け面８００８（図１８、図２２参照）に当接するように、言い換えると、前記光軸方向で最も後端に位置させるように付勢している。
第１の参考例では、レンズ保持部６８の各当て付け面６８１２が、後鏡筒８０の後端面壁８００２の各当て付け面８００８に当接することで、撮影光学系３４の前記光軸が撮像素子２９の撮像面に対して直交した状態となり、かつ、撮影光学系３４によって撮影される被写体像の焦点距離が無限遠となり、したがって、レンズ保持部６８（撮影光学系３４）の無限遠位置が形成される。
【００３５】
駆動部７２は、レンズ保持部６８を前記光軸に沿って移動させるものであり、図１４に示すように、マグネット７４とコイル７６とを含んで構成されている。
第１の参考例では、図２５、図２６に示すように、マグネット７４は２つ設けられ、これらマグネット７４は、前記光軸方向に沿って延在する高さとこの高さよりも大きな寸法でこの高さと直交する方向に沿って延在する幅を有する長方形の板状に形成されている。
２つのマグネット７４は、前記光軸を挟んだレンズ保持部６８の箇所で前記光軸を通る単一の仮想平面に対して平行させて配設されている。
具体的には、マグネット７４は、各取り付け面６８０８上に配置され、一対の挟持片６８１０に挟持された状態で取り付け面６８０８に接着されている。
第１の参考例では、マグネット７４は前記光軸に沿った両端にＮ極とＳ極が位置するように着磁されており、各マグネット７４は、それらの磁束を効率よくコイル７６に導くための板状のヨーク７４０２を介して取り付け面６８０８に接着されている。
【００３６】
コイル７６は、図１８乃至図２４に示すように、マグネット７４に臨む鏡筒部６６の２箇所にそれぞれ設けられ、これら２つのコイル７６は、それぞれ導線が前記光軸と直交する軸心の回りに巻回されて前記光軸方向に沿って延在する高さとこの高さよりも大きな寸法でこの高さと直交する方向に沿って延在する幅を有する細長形状に形成されている。
２つのコイル７６は、前記光軸を挟んだ鏡筒部６６の箇所で前記光軸を通る単一の仮想平面に対して平行させて配設されている。
具体的には、２つのコイル７６は導線が巻回されることで構成され、図１８に示すように、第１の参考例では、２つの平行する直線部と、直線部の両端を接続する２つの湾曲部とを有する長円状を呈し、中央に細長い中央開口７６０２が形成されている。
コイル７６は、図１４、図１８に示すように、その長手方向の両端を柱壁８０２０に合わせるとともに前記２つの湾曲部をコイル当て付け面８０２０Ａに当て付け、かつ、コイル７６の中央開口７６０２に接続壁８０２２をはめ込んだ状態で接着剤により取着されている。
２つのコイル７６は、図１４に示すように、導線の中間部分７６０４を介して直列接続されており、図１８に示すように、各コイル７６の導線の端部７６０５は、後端面壁８００２から突設された凸部８００３にそれぞれ巻回され、図２０に示すように、それら巻回された部分が半田付けにより基板３０の表面の半田付けパッド３０１０に半田付けで接続されている。
導線には、基板３０から各半田付けパッド３０１０を介して駆動信号が供給され、これにより、コイル７６から磁界が発生する。
したがって、コイル７６によって発生する磁界と、マグネット７４の磁極から発生する磁界との相互作用によってコイル７６に前記光軸方向への力（推力）が発生し、これにより、スプリング７０によって保持されたレンズ保持部６８および撮影光学系３４が前記光軸方向に移動し、撮影光学系３４によって撮像素子２９の撮像面に結像される被写体像の合焦動作がなされる。
【００３７】
図３３はマグネット７４とコイル７６の動作説明図である。
詳細には、図３３に示すように、コイル７６に駆動信号が矢印Ａ方向に流れることで発生する磁界と、マグネット７４から発生する磁界との相互作用によりレンズ保持部６８には、光軸方向に沿って矢印方向の力Ｆが作用しレンズ保持部６８が動かされる。
コイル７６に上記とは逆の向きに駆動信号が流れると、上記とは反対方向の磁界がコイル７６から発生することで、レンズ保持部６８には、光軸方向に沿って上記とは逆向きの力が作用しレンズ保持部６８が動かされる。
【００３８】
なお、第１の参考例では、撮影光学系３４とマグネット７４が設けられたレンズ保持部６８の重心を挟む２箇所がコイル７６による推力が発生する力点として構成され、かつ、前スプリング７０Ａおよび後スプリング７０Ｂの作用点が前記重心と前記力点との間に位置するように構成され、レンズ保持部６８が前記光軸方向に沿って正確に移動する上で有利となり、したがって、撮像素子２９の撮像面に結像される被写体像の歪みを抑制する上で有利となっている。
【００３９】
次に、カメラモジュール２２の組み立て方法について説明する。
図１５に示すように、前鏡筒７８に前スプリング７０Ａが組み込まれた第１ユニットＵ１と、レンズ保持部６８に撮影光学系３４とマグネット７４と後スプリング７０Ｂが組み込まれた第２のユニットＵ２と、後鏡筒８０にコイル７６と撮像素子２９と基板３０が組み付けられた第３ユニットＵ３とを、それぞれ別々に組み立てて用意する。
そして、第２ユニットＵ２を第３ユニットＵ３に組み付ける。言い換えると、後スプリング７０Ｂの孔７０１４に後鏡筒８０のピン８０１４（図３８参照）を挿通して第２ユニットＵ２と第３ユニットＵ３とを合わせる。
次いで、その組み付けたものに第１ユニットＵ１を組み付ける。言い換えると、前スプリング７０Ａの開口７００１にレンズ保持部６８の筒部６８０２の前部を挿通し環板部７００２をレンズ保持部６８の４つのスプリング当接面６８０５に当接させて第１ユニットＵ１と第３ユニットＵ３とを合わせる。
最後に、カメラ本体用遮蔽板２８１０を第１ユニットＵ１の上に被せて、その係合溝２８３０を係合突起８００１に係合させる。言い換えると、カメラ本体用遮蔽板２８１０を第１ユニットＵ１の上に被せて、カメラ本体用遮蔽板２８１０の上面部２８１０Ａと後鏡筒８０の後端面壁８００２との間に前鏡筒７８を挟持させる。
これにより第１ユニットＵ１と第３ユニットＵ３とが結合され、カメラモジュール２２が完成する。
【００４０】
なお、第１の参考例では、レンズ保持部６８の各当て付け面６８１２が、後鏡筒８０の後端面壁８００２の各当て付け面８００８に当接することで、レンズ保持部６８（撮影光学系３４）の無限遠位置が形成される場合について説明した。
しかしながら、レンズ保持部６８の各当て付け面６８１２が、後鏡筒８０の後端面壁８００２の各当て付け面８００８に当接する際、レンズ保持部６８が傾いた状態で無限遠位置が形成されると、撮影光学系３４の光軸が撮像素子２９の撮像面に対して傾き、撮影光学系３４によって撮像面に結像される被写体像に歪みが発生することが懸念される。
このような現象は、撮影光学系３４を含むレンズ保持部６８の重心と、レンズ保持部６８と各スプリング７０Ａ、７０Ｂとが連結されている箇所、すなわち、作用点（支点）と、２つのマグネット７６における推力が発生する位置である力点との３つの位置を合致させることが構造上不可能であり、しかも、それら３つの位置が部品の加工誤差や組み立て誤差などによりばらつくことにより発生する。
なお、この種のカメラモジュール２２では、多くの場合、カメラモジュール２２と被写体との距離が約１ｍ以上であり、したがって、レンズ保持部６８（撮影光学系３４）の無限遠位置で被写体を撮影する割合が８割以上とされている。したがって、無限遠位置において撮像される画像の歪みを防止することがカメラモジュール２２を実際に使用する上で最も重要となる。
【００４１】
このようなレンズ保持部６８（撮影光学系３４）の無限遠位置におけるレンズ保持部６８の傾きは、以下に説明するような構成をとることで防止することができる。
図３０はレンズ保持部６８の傾きを防止できるようにしたカメラモジュール２２の断面図、図３１はカメラモジュール２２の後鏡筒８０の平面図、図３２はレンズ保持部６８の後面図である。
図３０、図３１に示すように、後鏡筒８０の後端面壁８００２には、該後端面壁８００２が延在する平面と直交する軸線に沿って形成された円錐面からなる係合凹部８０４０が２つ形成されている。
２つの係合凹部８０４０は、前記光軸を挟み、かつ、前記光軸からの距離が等しい２箇所に設けられている。
【００４２】
図３０、図３２に示すように、２つの係合凹部８０４０に臨むレンズ保持部６８の後フランジ６８０８の箇所には、前記光軸と平行する軸線に沿って形成され２つの係合凹部８０４０の円錐面と合致する形状の円錐面からなる係合凸部６８４０がそれぞれ設けられている。
したがって、コイル７６への通電が停止されると、スプリング７０Ａ、７０Ｂの付勢力によって、レンズ保持部６８が後方に移動され、レンズ保持部６８の２つの係合凸部６８４０が後鏡筒８０の２つの係合凹部８０４０に係合し、これにより、レンズ保持部６８（撮影光学系３４）の無限遠位置が形成される。
この際、係合凸部６８４０と係合凹部８０４０の互いの円錐面が重ね合わされることで互いの円錐面の軸線が合致するように、レンズ保持部６８の姿勢が定められ、これにより、レンズ保持部６８（撮影光学系３４）の無限遠位置におけるレンズ保持部６８の傾きが防止される。
したがって、撮影光学系３４によって撮像面に結像される被写体像に歪みが発生すること防止される。
なお、無限遠位置と反対側の位置であるレンズ保持部６８（撮影光学系３４）の前端位置、すなわち、カメラモジュール２２と被写体とが最も接近した場合においても、上述と同様の構成を採用することで画像の歪みを防止してもよいことは無論である。その際には、レンズ保持部６８と前鏡筒７８とにそれぞれ係合凸部と係合凹部を設ければよい。
【００４３】
次に第２の参考例について説明する。
図３４は第２の参考例におけるカメラモジュール２２の分解斜視図、図３５はカメラモジュール２２の組み立て説明図、図３６はカメラモジュール２２の断面図、図３７は後鏡筒８０の斜視図、図３８は図３７のＡＡ線断面図、図３９はレンズ保持部６８が後鏡筒８０に収容された状態を示す斜視図である。
第２の参考例が上述の第１の参考例と異なるのはコイルの構成であり、その他の構成は第１の参考例と同様であるため、第１の参考例と同様な箇所には図面に同一の符号を付してその説明を省略する。
カメラモジュール２２は、図３４乃至図３６に示すように、鏡筒部６６と、レンズ保持部６８と、スプリング７０と、撮像素子２９と、駆動部７２とを備え、駆動部７２は、マグネット８２と、コイル８４とを含んで構成されている。
レンズ保持部６８と、スプリング７０と、撮像素子２９の構成については第１の参考例と同様である。
【００４４】
２つのマグネット８２は、第１の参考例と同様に前記光軸を挟んだレンズ保持部６８の箇所で前記光軸を通る単一の仮想平面に対して平行させて配設されている。
２つのマグネット８２は、第１の参考例と同様に、前記光軸方向に沿って延在する高さとこの高さよりも大きな寸法でこの高さと直交する方向に沿って延在する幅を有する長方形の板状に形成されている。
マグネット８２の配設は第１の参考例と同様であり、図３４乃至図３６に示すように、マグネット８２は、レンズ保持部６８の一対の挟持片６８１０に挟持された状態でヨーク８２０２を介してレンズ保持部６８の取り付け面６８０８に接着されている。
なお、マグネット８２の着磁形態については後述する。
【００４５】
コイル８４は、導線が前記光軸の回りに巻回されて光軸方向から見て光軸を中心とした枠状を呈している。第２の参考例では、コイル８４は矩形の枠状を呈している。
コイル８４はマグネット８２の前記光軸方向の前部に臨む第１のコイル８４Ａと、マグネット８２の光軸方向の後部に臨む第２のコイル８４Ｂとの２つのコイルを含んで構成されている。
第１のコイル８４Ａと第２のコイル８４Ｂは、図３５、図３６に示すように、単一の仮想平面に対して平行して延在し２つのマグネット８２に臨む２つのコイル部８４０２をそれぞれ有している。
各コイル部８４０２は、前記光軸方向に沿って延在する高さとこの高さよりも大きな寸法でこの高さと直交する方向に沿って延在する幅とそれら高さおよび幅よりも小さい寸法の厚さを有する長方形の平板状を呈している。
【００４６】
鏡筒部６６は、図３４に示すように、前鏡筒７８と、後鏡筒８０とを有している。
前鏡筒７８は、図３４に示すように、前記光軸の周囲に位置する周壁７８０２を含んで構成されている。
後鏡筒８０は、図３７、図３８に示すように、前記光軸と直交する面上を延在し周壁７８０２の前記光軸方向の後端を閉塞する後端面壁８００２と、後端面壁８００２から突設され周壁７８０２の内側に収容されて収容空間Ｓの側面を仕切りコイル８４が巻装される筒状壁部８０５０と、前記光軸上に位置する後端面壁８００２の箇所に設けられ撮像素子２９が収容される開口８００６とを含んで構成されている。
筒状壁部８０５０の外周に光軸方向に間隔をおいて第１のコイル装着溝８０５２Ａと第２のコイル装着溝８０５２Ｂとが設けられると共にそれらコイル装着溝８０５２Ａ、８０５２Ｂの間にフランジ８０５４が突設されている。
図３８に示すように、第１のコイル装着溝８０５２Ａの底面と第２のコイル装着溝８０５２Ｂの底面は、単一の仮想平面に平行して互いに対向する２つの底面部８０５６Ａ、８０５６Ｂをそれぞれ有している。
第１のコイル８４Ａは第１のコイル装着溝８０５２Ａに装着されて配設されている。
第２のコイル８４Ｂは第２のコイル装着溝８０５２Ａに装着されて配設されている。
図３７、図３８に示すように、第１のコイル装着溝８０５２Ａの底面部８０５６Ａと第２のコイル装着溝８０５４の底面部８０５６Ｂに、第１のコイル８４Ａと第２のコイル８４Ｂをマグネット８２に対面させる開口８０５８がそれぞれ形成されている。
【００４７】
次に、カメラモジュール２２の組み立て方法について説明する。
図１５に示すように、前鏡筒７８に前スプリング７０Ａが組み込まれた第１ユニットＵ１と、レンズ保持部６８に撮影光学系３４とマグネット８２と後スプリング７０Ｂが組み込まれた第２のユニットＵ２と、後鏡筒８０にコイル８４と撮像素子２９と基板３０が組み付けられた第３ユニットＵ３とを、それぞれ別々に組み立てて用意する。
そして、第２ユニットＵ２を第３ユニットＵ３に組み付ける。言い換えると、後スプリング７０Ｂの孔７０１４に後鏡筒８０のピン８０１４（図３８参照）を挿通して第２ユニットＵ２と第３ユニットＵ３とを合わせる。
次いで、その組み付けたものに第１ユニットＵ１を組み付ける。言い換えると、前スプリング７０Ａの開口７００１にレンズ保持部６８の筒部６８０２の前部を挿通し環板部７００２をレンズ保持部６８の４つのスプリング当接面６８０５に当接させて第１ユニットＵ１と第３ユニットＵ３とを合わせる。
最後に、カメラ本体用遮蔽板２８１０を第１ユニットＵ１の上に被せて、その係合溝２８３０を係合突起８００１に係合させる。言い換えると、カメラ本体用遮蔽板２８１０を第１ユニットＵ１の上に被せて、カメラ本体用遮蔽板２８１０の上面部２８１０Ａと後鏡筒８０の後端面壁８００２との間に前鏡筒７８を挟持させる。
これにより第１ユニットＵ１と第３ユニットＵ３とが結合され、カメラモジュール２２が完成する。
【００４８】
第１のコイル８４Ａと第２のコイル８４Ｂは、導線の中間部分（不図示）を介して直列接続されており、第１の参考例と同様に、図３４に示すように、各コイル８４Ａ、８４Ｂの導線の端部は、後鏡筒８０の後端面壁８００２から突設された凸部８００３にそれぞれ巻回され、それら巻回された部分が半田付けにより基板３０の表面の半田付けパッドに半田付けで接続されている。
導線には、基板３０から前記各半田付けパッドを介して駆動信号が供給され、これにより、第１のコイル８４Ａと第２のコイル８４Ｂから磁界が発生する。
したがって、第１のコイル８４Ａと第２のコイル８４Ｂによって発生する磁界と、マグネット８２の磁極から発生する磁界との相互作用によって第１のコイル８４Ａと第２のコイル８４Ｂに前記光軸方向への力（推力）が発生し、これにより、スプリング７０によって保持されたレンズ保持部６８および撮影光学系３４が前記光軸方向に移動し、撮影光学系３４によって撮像素子２９の撮像面に結像される被写体像の合焦動作がなされる。
【００４９】
次に、第１のコイル８４Ａと第２のコイル８４Ｂの巻回方向とマグネット８２の着磁形態について詳細に説明する。
図４０、図４１はマグネット８２とコイル８４の動作説明図である。
まず、図４０を参照して、第１のコイル８４Ａの導線の巻回方向と、第２のコイル８４Ｂの導線の巻回方向とを互いに逆向きにした場合について説明する。
この場合、マグネット８２は、前記光軸に沿った両端にＮ極とＳ極が位置するように着磁されたものを用いる。
第１のコイル８４Ａ（コイル部８４０２）に駆動信号が矢印Ａ方向に流れるとともに、第２のコイル８４Ｂ（コイル部８４０２）に駆動信号が矢印Ｂ方向に流れることで発生する磁界と、マグネット８２から発生する磁界との相互作用によりレンズ保持部６８には、光軸方向に沿って力Ｆが作用しレンズ保持部６８が動かされる。
また、第１、第２のコイル８４Ａ、８４Ｂ（コイル部８４０２）に上記とは逆の向きに駆動信号が流れると、上記とは反対方向の磁界が第１、第２のコイル８４Ａ、８４Ｂから発生することで、レンズ保持部６８には、上記とは逆の向きに力Ｆが作用しレンズ保持部６８が動かされる。
【００５０】
次に、図４１を参照して、第１のコイル８４Ａの導線の巻回方向と、第２のコイル８４Ｂの導線の巻回方向とを同一の向きにした場合について説明する。
マグネット８２は、その厚さ方向の両側にＮ極とＳ極が位置するように着磁されたものを用いる。
第１、第２のコイル８４Ａ、８４Ｂ（コイル部８４０２）に駆動信号が矢印Ａ方向に流れることで発生する磁界と、マグネット８２から発生する磁界との相互作用によりレンズ保持部６８には、光軸方向に沿って力Ｆが作用しレンズ保持部６８が動かされる。
第１、第２のコイル８４Ａ、８４Ｂ（コイル部８４０２）に上記とは逆の向きに駆動信号が流れると、上記とは反対方向の磁界が第１、第２のコイル８４Ａ、８４Ｂから発生することで、レンズ保持部６８には、上記とは逆の向きに力Ｆが作用しレンズ保持部６８が動かされる。
【００５１】
以上説明したように、第２の参考例のカメラモジュール２２によれば、撮影光学系３４を保持するレンズ保持部６８にマグネット８２を設け、鏡筒部６６にコイル８４を設けたので、従来のように、レンズ保持部にコイルを設け、鏡筒部にコイルを設けたカメラモジュールに比較して次のような効果が奏される。
従来は、レンズ保持部にコイルが設けられているため、レンズ保持部の移動に伴いコイルを構成する導線にストレスが作用することになる。したがって、カメラモジュールに衝撃が加わってレンズ保持部が移動すると、コイルの導線に大きな力が加わり、断線などの発生が懸念されるのに対して、第２の参考例では、レンズ保持部にコイルが設けられていないので、そのような不具合の発生が防止され、耐久性や耐衝撃性の向上を図る上で有利となる。
また、従来は、鏡筒部にマグネットを設けレンズ保持部にコイルを設ける構成であることから、レンズ保持部を保持するスプリングを導電部材で形成し、このスプリングをコイルに半田付けし、スプリングを介してコイルに駆動信号を供給している。
したがって、半田付けの作業性の向上を図るために、コイルを取り付けるための専用部材を用意し、この専用部材にコイルを取り付けた状態で半田付けを行い、その後、専用部材をレンズ保持部に取り付けることも考えられるが、このような方法は手間がかかる。これに対し、第２の参考例では、レンズ保持部にコイルが設けられていないので、コイルを取り付けるための専用部材が不要となりコイルの取り付けが簡単になされ、部品点数の削減を図れ、小型化、製造の低コスト化を図る上で有利となる。
【００５２】
また、従来は、レンズ保持部に設けられたコイルが通電により発熱すると、その熱がレンズ保持部を介して撮影光学系に伝わりレンズが熱による影響を受けて（例えば熱膨張による変形など）光学特性の悪化が懸念されるのに対して、第２の参考例では、レンズ保持部にコイルが設けられていないので、そのような不具合の発生が防止され、撮影光学系の光学特性の向上を図る上で有利となる。
また、従来は、レンズ保持部にコイルを半田付けする工程において、その熱がレンズ保持部を介して撮影光学系に伝わりレンズが熱による影響を受けて光学特性が悪化することが懸念されるのに対して、第２の参考例では、レンズ保持部にコイルが設けられていないため、そのような不具合の発生が防止され、撮影光学系の光学特性の向上を図る上で有利となる。
また、従来は駆動信号をスプリングを介してコイルに供給するため、スプリングの材料が導電材料に限定されるのに対して、第２の参考例では、コイル８４に直接駆動信号を供給できスプリングを用いて駆動信号を供給する必要が無いので、スプリングの材質が非導電材料でもよく、設計の自由度を確保する上で有利となる。
また、従来は、導線を巻回したコイルをレンズ保持部に設けるため、レンズ保持部の重心のバランスがコイルの重心のばらつきによって左右される不具合があるのに対して、第２の参考例では、コイルに比較して形状や寸法の精度を出しやすいマグネットをレンズ保持部に設けるため、レンズ保持部の重心のバランスを取りやすく、撮影光学系の光軸の傾きを抑制する上で有利となる。
また、従来は、レンズ保持部にコイルを設けるため、レンズ保持部を鏡筒部に組み込む際に、コイルの導線の引き回しや半田付けが煩雑であったのに対して、第２の参考例では、レンズ保持部にマグネットが設けられ、鏡筒部にコイルが設けられているため、前述したように、第１乃至第３ユニットＵ１、Ｕ２、Ｕ３を別々に組み立てておくことでカメラモジュールを容易に完成でき、コイルの導線の引き回しや半田付けなどの煩雑な作業が不要であるため、組み立て作業性の向上を図る上で有利となる。
【００５３】
また、第２の参考例によれば、コイル８４は、導線が前記光軸の回りに巻回されて前記光軸方向から見て光軸を中心とした枠状を呈しているため、鏡筒部６６に導線を巻回することでコイル８４を形成すると同時にコイル８４を鏡筒部に装着することができる。
したがって、例えば、第１の参考例のように、予め導線を環状に巻回して成形したもの用意しておき、次いで、その成形されたコイル８４を鏡筒部に接着で取り付ける場合に比較して、組み立て作業の簡素化、コストダウンを図る上で有利となる。
【００５４】
次に第３の参考例について説明する。
第３の参考例が第２の参考例と異なるのはコイルの構成であり、その他の構成は第１の参考例と同様であるため、第２の参考例と同様な箇所には図面に同一の符号を付してその説明を省略する。
図４２は第３の参考例におけるカメラモジュール２２のレンズ保持部６８が後鏡筒８０に収容された状態を示す斜視図、図４３はカメラモジュール２２の断面図、図４４は後鏡筒８０の断面図である。
第２の参考例では２つのコイル８４Ａ、８４Ｂが用いられている場合について説明したが、第３の参考例ではコイル８４は１つのみ用いられている。
コイル８４は、図４２、図４３に示すように、前記光軸を通る単一の仮想平面に対して平行して延在し２つのマグネット８２に臨む２つのコイル部８４０２を有している。
コイル部８４０２は、マグネット８２の形状に対応して、前記光軸方向に沿って延在する高さとこの高さよりも大きな寸法でこの高さと直交する方向に沿って延在する幅とそれら高さおよび幅よりも小さい寸法の厚さを有する長方形の平板状を呈している。
【００５５】
鏡筒部６６は、第２の参考例と同様に、前鏡筒７８と、後鏡筒８０とを有し、図４２、図４５に示すように、後鏡筒８０の筒状壁部８４５０の外周にコイル装着溝８４６０が設けられている。
コイル装着溝８４６０の底面は、前記単一の仮想平面に平行して互いに対向する２つの底面部８４６２をそれぞれ有している。
コイル８４はコイル装着溝８４６０に装着されて配設され、コイル装着溝８４６０の底面部８４６２に、コイル８４をマグネット８２に対面させる開口８４６４が形成されている。
【００５６】
コイル８４の導線の両端部は、後鏡筒８０の後端面壁８００２から突設された凸部８００３にそれぞれ巻回され、それら巻回された部分が半田付けにより基板３０の表面の半田付けパッドに半田付けで接続されている。
導線には、基板３０から前記各半田付けパッドを介して駆動信号が供給され、これにより、コイル８４から磁界が発生する。
したがって、コイル８４によって発生する磁界と、マグネット８２の磁極から発生する磁界との相互作用によってコイル８４に前記光軸方向への力（推力）が発生し、これにより、スプリング７０によって保持されたレンズ保持部６８および撮影光学系３４が前記光軸方向に移動し、撮影光学系３４によって撮像素子２９の撮像面に結像される被写体像の合焦動作がなされる。
【００５７】
次に、コイル８４の巻回方向とマグネット８２の着磁形態について詳細に説明する。
図４５はマグネット８２とコイル８４の動作説明図である。
マグネット８２は、その厚さ方向の両側にＮ極とＳ極が位置するように着磁されたものを用いる。
コイル８４（コイル部８４０２）に駆動信号が矢印Ａ方向に流れることで発生する磁界と、マグネット８２から発生する磁界との相互作用によりレンズ保持部６８には、光軸方向に沿って力Ｆが作用しレンズ保持部６８が動かされる。
コイル８４（コイル部８４０２）に上記とは逆の向きに駆動信号が流れると、上記とは反対方向の磁界がコイル８４から発生することで、レンズ保持部６８には、上記とは逆の向きに力Ｆが作用しレンズ保持部６８が動かされる。
【００５８】
第３の参考例においても、第２の参考例と同様の効果が奏されることは無論のこと、第２の参考例では、第１、第２のコイル８４Ａ、８４Ｂの２つのコイルを用いていたが、第３の参考例では、コイル８４が１つで済むため、組み立て作業の簡素化、コストダウンを図る上でより一層有利となる。
【００５９】
次に本発明に係るカメラモジュール２２の実施の形態について説明する。
本実施の形態は、それら内側鏡筒と外側鏡筒とを挟持する係止板８６を要部とするものである。
なお、本実施の形態では、第１の参考例で説明した前鏡筒７８が外側鏡筒７８となり、後鏡筒８０が内側鏡筒８０となる。
上述のようにカメラモジュール２２は、収容空間Ｓを有する鏡筒部６６と、撮影光学系３４を保持し収容空間Ｓに収容され撮影光学系３４の前記光軸に沿って移動可能に支持されたレンズ保持部６８と、鏡筒部６６に設けられ撮影光学系３４によって導かれる被写体像を撮像する撮像素子３１と、レンズ保持部６８を撮影光学系３４の前記光軸に沿って移動させる駆動部７２とを備えている。
そして、鏡筒部６６は、収容空間Ｓが形成された内側鏡筒８０と、内側鏡筒８０の外側に配置される外側鏡筒７８とを有している。
内側鏡筒８０は、前記光軸と直交する面上を延在し外側鏡筒７８の前記光軸方向の後端を閉塞し撮像素子３１が収容される開口８００６が形成された後端面壁８００２を有している。
【００６０】
内側鏡筒８０の外側に外側鏡筒７８が配置された状態で、それら鏡筒７８、８０は前記光軸と直交する方向においてがたつくことなく結合される。
本実施の形態では、図１８に示す４つの柱壁８０２０が、図１７に示す外側鏡筒７８の周壁７８０２の内側の４つの角部７８２０に係合することで、それら鏡筒７８、８０は前記光軸と直交する方向においてがたつくことなく結合されている。
また、図１５に示すように、後端面壁８００２が前記光軸方向の前方に臨む箇所に前記光軸と直交する仮想平面上を延在する第１の当て付け面８０６２が形成され、外側鏡筒７８の前記光軸方向の後端に前記光軸と直交する仮想平面上を延在する第２の当て付け面７８２２が形成され、内側鏡筒８０の外側に外側鏡筒７８が配置された状態で、第１の当て付け面８０６２と第２の当て付け面７８２２とが当接される。
すなわち、第１の当て付け面８０６２と第２の当て付け面７８２２とが当接された状態で係止板８６により内側鏡筒８０と外側鏡筒７８とが前記光軸方向において挟持される。
【００６１】
係止板８６は、図１２、図１５に示すように、前板部８６Ａと、２つの側板部８６Ｂとを備えている。
係止板８６は、前板部８６Ａが外側鏡筒７８の前端に係止し２つの側板部８６Ｂの先端が後端面壁８００２に係止した状態で、内側鏡筒８０と外側鏡筒７８とを前記光軸方向において挟持するものである。
この係止板８６は、第１の参考例で説明したカメラ本体用遮蔽板２８１０である。
本実施の形態では、係止板８６は、磁気遮蔽性と電磁遮蔽性と導電性とを有する材料で形成されている。
このような材料として、例えば、高透磁性金属、パーマロイ、酸化鉄など従来公知のさまざまな材料が使用可能である。
また、係止板８６の前板部８６Ａが外側鏡筒７８の前端に臨む内面と反対側に位置する外面８６０２には、光の反射を防止しかつ導電性を有する表面処理が施されている。
このような表面処理としては、例えば、光の反射を防止する塗料の塗装あるいは光の反射を防止するめっき処理が採用可能である。前記塗料としては例えば黒色の塗料など光の反射を防止できるものであればよい。
【００６２】
図１２、図１５に示すように、前板部８６Ａは、外側鏡筒７８の前記光軸方向の前端に係止して前端を覆う大きさの矩形状に形成されている。
前板部８６Ａの中央に撮影光学系３４の光路を確保するための開口８６０４が形成されている。
鏡筒部６６は、内側鏡筒８０の外側に外側鏡筒７８が配置された状態で、前記光軸方向に沿った厚さと、厚さよりも大きな寸法の縦と横を有する矩形板状の輪郭を呈し、前板部８６Ａは矩形を呈している。
図１５に示すように、外側鏡筒７８の前記光軸方向の前端に前記光軸と直交する仮想平面上を延在する第３の当て付け面７８２４が形成され、前板部８６Ａが第３の当て付け面７８２４に当て付けられることで、前板部８６Ａが外側鏡筒７８の前端に係止する。
本実施の形態では、第３の当て付け面７８２４は、図１５に示すように、前記光軸方向から見て矩形枠状に延在している。
また、図１２、図１５に示すように、第３の当て付け面７８２４に凸部７８２６が設けられ、前板部８６Ａに凸部７８２６に係合可能な欠部８６０６が設けられ、凸部７８２６と欠部８６０６が係合することで、前記光軸と直交する仮想平面上において外側鏡筒７８の前記光軸方向の前端に対する前板部８６Ａの位置決めがなされる。
【００６３】
図１５に示すように、側板部８６Ｂは、前板部８６Ａの対向する１組の辺からそれぞれ屈曲されている。
側板部８６Ｂの先端に係止用の欠部２８３０が設けられている。
後端面壁８００２の外周の前記光軸を挟んだ２箇所にそれぞれ係止用の突起８００１が設けられ、２つの側板部８６Ｂの先端の後端面壁８００２への係止は、突起８００１と欠部２８３０とが係止することで簡単に確実になされる。
図１５に示すように、外側鏡筒７８の外周の前記光軸を挟んだ箇所に、前記光軸を通る単一の仮想平面に対して平行する平面部７８３０がそれぞれ形成され、前板部８６Ａが外側鏡筒７８の前端に係止し２つの側板部８６Ｂの先端が後端面壁８００２に係止した状態で、２つの側板部８６Ｂは平面部７８３０にそれぞれ当接される。
【００６４】
本実施の形態によれば、内側鏡筒８０と外側鏡筒７８とを係止板８６を用いることによって前記光軸方向に簡単に挟持でき、内側鏡筒８０と外側鏡筒７８とを接着剤を用いて接着する場合に比較して、接着剤の塗布量や硬化条件の調整および管理が不要となりまた、接着剤の硬化時間を確保する必要がないため、組み立て作業が大幅に簡素化されコストダウンを図る上で有利となる。
また、突起８００１から欠部２８３０を外すことで係止板８６の取り外しも簡単になされ、係止板８６を内側鏡筒８０と外側鏡筒７８から取り外すことにより、内側鏡筒８０と外側鏡筒７８とを簡単に分解することができるため、内側鏡筒８０と外側鏡筒７８に組み込まれたレンズ保持部６８や駆動部７２の調整や修理を迅速かつ簡単に行う上で有利となる。
【００６５】
また、本実施の形態のように、駆動部７２がレンズ保持部６８に設けられたマグネットと、内側鏡筒８０に設けられたコイルとを含んで構成されている場合には、前記マグネットがカメラモジュール２２の外部から作用する磁界による相互磁界作用によって生じる力によって移動し、本来位置すべき位置から変位してしまうおそれがある。その場合、撮影光学系３４によって撮像素子２９に結像される被写体像の焦点ずれなどが発生しまうなどの不都合が発生する。
本実施の形態では、係止板８６が磁気遮蔽性を有するので、外部からの磁界が係止板８６で遮蔽され駆動部に影響しないため、上記不都合を防止でき撮像される画像の品質の向上を図る上で有利となる。
また、駆動部のコイルから発生する磁界は係止板８６で遮蔽されるので、その磁界がカメラモジュール周辺の電子部品や電子回路に輻射されて悪影響を及ぼすことも防止することができ有利となる。
【００６６】
特に、カメラモジュール２２が携帯電話機に組み込まれる場合には、カメラモジュール２２の近傍に、着信報知用のバイブレーション（振動）発生用のモータや受話器（スピーカー）などのように磁界を発生するコイルやマグネットを用いた部品が配置されることになる。
また、近年、携帯電話機はより一層の小型化、薄型化が図られていることから、前記部品とカメラモジュールとの距離が近接し、したがって、カメラモジュールの駆動部は携帯電話機内で発生する磁界の影響をより受けやすくなっている。
しかしながら、本実施の形態では、係止板８６を磁気遮蔽性を有する材料で形成したので、携帯電話機の小型化、薄型化を実現しつつ、前記部品からの磁界の影響を防止し、撮像素子２９によって撮像される画像の品質の向上を図る上で有利となる。
【００６７】
また、本実施の形態では、係止板８６が磁気遮蔽性に加えて電磁遮蔽性を有しているため、駆動部７２から発生する電磁波を係止板８６で遮蔽することで、カメラモジュール２２の外部に電磁波が輻射されることを防止でき、したがって、カメラモジュール２２に近接して配置された電子部品や電子回路に対する電磁波の影響を防止する上で有利となる。
さらに、本実施の形態では、係止板８６が導電性を有していることから、係止板８６をソケット２４を介して接地することで、前記電磁波をより効果的に遮蔽する上で有利となる。
【００６８】
なお、本実施の形態の駆動部７２と異なり、駆動部がレンズ保持部に設けられたコイルと、鏡筒部に設けられたマグネットとを含んで構成されている場合には、マグネットが鏡筒部に設けられて固定されていることから、カメラモジュールの外部からの磁界の影響を受けにくいものの、駆動部のコイルから発生する磁界がカメラモジュールに近接して配置された電子部品や電子回路に対して影響を与えることが懸念される。
したがって、この場合には、係止板８６を、電磁遮蔽性を有する材料で構成することで上記の不都合を防止することができる。
このような磁気遮蔽性を有する材料としては、金属材料で形成された板材、金網、パンチングメタル、金属膜（金属箔、蒸着、めっき）を施した板材など従来公知のさまざまな磁気遮蔽性を有する材料を用いることができる。
【００６９】
また、図４６に示すように、カメラモジュール２２を携帯電話機などの電子機器の筐体内部に組み込む場合、カメラモジュール２２は、係止板８６の前板部８６Ａの開口を筐体に設けられた筐体側開口に臨ませて配置される。
多くの場合、筐体側開口には、図４６に示すカバーガラス２（図１に示すレンズカバー５８に相当）が装着され、カメラモジュールの係止板８６の前板部８６Ａの外面８６０２と、該外面が臨むカバーガラス２の内面との間には隙間が形成される。
この際、筐体の外方からカバーガラス２を通過した光Ｌの一部が、前板部８６Ａの外面８６０２と、カバーガラス２の内面との間で反射を繰り返して撮影光学系３４に進入すると、ゴーストと呼ばれるぼけた画像が撮像素子２９で撮像されてしまうなどの不都合が生じる。
本実施の形態では、係止板８６の前板部８６Ａの外面８６０２に光の反射を防止する表面処理が施されているので、上記光Ｌの反射を抑制することでゴーストなどの発生を防止でき、撮像素子２９によって撮像される画像の品質の向上を図る上で有利となる。
なお、前記表面処理は、係止板８６の前板部８６Ａおよび側板部８６Ｂの外面の全域に施してもよいことは無論である。その場合、前記表面処理で用いる塗料やめっきを導電性を有するものとすれば、係止板８６の導電性を確保でき、係止板８６をソケット２４を介して接地することが容易となり、係止板８６による電磁遮蔽性を確保する上で有利となる。
【００７０】
また、本実施の形態では、係止板８６が外側鏡筒７８の前端を覆う前面部８６Ａと、外側鏡筒７８の周壁７８０２の対向する２つの面を覆う２つの側板部８６Ｂを有する場合について説明したが、前面部８６Ａの３辺あるいは４辺から側板部をそれぞれ屈曲形成し、それら３つあるいは４つの側板部で外側鏡筒７８の周壁７８０２の３面あるいは４面を覆うようにしてもよい。また、側板部８６Ｂの先端に位置する辺から基板３０の後面を覆う後面部を屈曲形成してもよい。
このように、係止板８６で覆う鏡筒部６６の面の数が多いほど、磁気遮蔽効果や電磁遮蔽効果を向上させる上で有利となる。
【００７１】
次に第４の参考例について説明する。
図４７は防塵カバー３１、鏡筒部６６、撮像素子２９、基板３０の組み立て説明図、図４８は後端面壁８００２の平面図、図４９は防塵カバー３１の取り付け説明図、図５０（Ａ），（Ｂ）は防塵カバー３１の取り付け状態を示す断面説明図である。
なお、第４の参考例では、第１の参考例で説明した光学フィルタ３１が防塵カバー３１となる。
上述のようにカメラモジュール２２は、鏡筒部６６と、撮影光学系３４を保持し鏡筒部６６に収容され撮影光学系３４の前記光軸に沿って移動可能に支持されたレンズ保持部６８と、鏡筒部６６に設けられ撮影光学系３４によって導かれる被写体像を撮像する撮像素子２９と、撮像素子２９が搭載された基板３０と、レンズ保持部６８を撮影光学系３４の前記光軸に沿って移動させる駆動部７２とを備えている。
そして、鏡筒部６６は、前記光軸と直交する面上を延在し鏡筒部６６の前記光軸方向の後端を閉塞し撮像素子２９が収容される開口８００６が形成された後端面壁８００２を有している。
図４７、図４８に示すように、後端面壁８００２は、前記光軸方向の前方を向いた前面８０７０Ａと、前記光軸方向の後方を向いた後面８０７０Ｂを有している。
撮像素子２９が開口８００６に収容された状態で基板３０が後端面壁８００２の後面８０７０Ｂに接着剤で取着されている。この基板３０および接着剤により、開口８００６の周囲の後端面壁８００２の後面８０７０Ｂ箇所が閉塞され、密閉されている。
後端面壁８００２の前面８０７０Ａに透明な防塵カバー３１が接着剤Ｂにより取着されて開口８００６が閉塞されている。
なお、防塵カバー３１は、塵埃の開口８００６内への侵入を阻止するものであればよく、例えば、赤外線カットフィルターであってもよく、光学フィルター機能を有さないガラスまたは合成樹脂であってもよい。
【００７２】
図４８、図４９に示すように、後端面壁８００２の前面８０７０Ａの開口８００６の周囲に、開口８００６の周方向に連続し撮影光学系３４の前記光軸と直交する仮想平面上を延在する平坦な当て付け面８０６０が形成されている。
そして、開口８００６の周囲の当て付け面８０６０の箇所に、接着剤Ｂが充填される接着剤充填用溝８０６２が形成されている。
接着剤充填用溝８０６２は開口８００６の周方向に連続して延在形成されている。
そして、接着剤充填用溝８０６２の延在方向の両端の間に、接着剤充填用溝８０６２が形成されていない当て付け面８０６０の箇所８０６０Ａが残存している。
【００７３】
透明な防塵カバー３１が当て付け面８０６０に当て付けられ、防塵カバー３１は、接着剤充填用溝８０６２に充填された接着剤Ｂにより後端面壁８００２の前面８０７０Ａ（当て付け面８０６０）に取着されている。
より詳細には、後端面壁８００２の前面８０７０Ａの開口８００６の周囲の環状部分と、開口８００６の周囲に位置する防塵カバー３１の外周部との間に、接着剤充填用溝８０６２に充填された接着剤Ｂが位置する接着部９０Ａ（図５０（Ａ））と、接着剤Ｂが充填されていない非接着部９０Ｂ（図５０（Ｂ））とが介在し、非接着部９０Ｂは、接着剤充填用溝８０６２が形成されていない当て付け面８０６０の箇所８０６０Ａを含んで構成されている。
したがって、接着部９０Ａでは、防塵カバー３１が当て付け面８０６０に当て付けられ、かつ、それらの間に接着剤Ｂが介在しているので、接着部９０Ａでは、開口８００６が気密に閉塞されている。
また、非接着部９０Ｂでは、防塵カバー３１が当て付け面８０６０に当て付けられているので、非接着部９０Ｂでは、厳密には気密とはいえないものの開口８００６が閉塞されている。
したがって、第４の参考例では、接着部９０Ａは、開口８００６の周囲で連続状に延在しており、非接着部９０Ｂは、接着部９０Ａの延在方向の両端の間に位置している。
また、鏡筒部６６は合成樹脂製で、図４８に示すように、後端面壁８００２の前面８０７０Ａに成形時のウェルドラインＷＬが存在しており、このウェルドラインＷＬは、非接着部９０Ｂが介在する後端面壁８００２の前面８０７０Ａの開口８００６の周囲の環状部分に位置している。
【００７４】
第４の参考例によれば、鏡筒部６６の後端に位置する後端面壁８００２に設けた開口８００６に撮像素子２９を収容し、この開口８００６の前部を防塵カバー３１で覆い、開口８００６の後部を撮像素子２９が実装された基板３０で覆うことにより、パッケージを省略し、鏡筒部６６の小型化、薄型化を図ることが可能となる。
また、この場合、開口８００６内部に形成される空間の容積が従来のパッケージの収容凹部の容積よりも大きくなることから、温度上昇に伴い前記空間内の空気が膨張するが、第４の参考例では、防塵カバー３１と当て付け面８０６０とを合わせた構成の非接着部９０Ｂを設けているので、防塵カバー３１と当て付け面８０６０との間に塵埃の侵入が阻止されかつ空気の流通が許容される微小な隙間が形成され、これにより、塵埃の開口８００６内への侵入を阻止すると同時に、非接着部９０Ｂを介して空気の出入りがなされ、防塵カバー３１の変形のおそれがなく、撮像素子２９で撮像される画像の品質を確保する上で有利となる。
また、鏡筒部６６の成形時に形成されるウェルドラインＷＬは一般に微細な凹溝となっているので、ウェルドラインＷＬにより上述の空気の出入りを確保する上で有利となる。
また、ウェルドラインＷＬを、接着剤充填用溝８０６２が形成されている当て付け面８０６０の箇所に位置させる場合に比べ、ウェルドラインＷＬを、接着剤充填用溝８０６２が形成されていない当て付け面８０６０の箇所８０６０Ａに位置させているので、開口８００６の周囲の当て付け面８０６０の肉厚を確保し、当て付け面８０６０の強度を確保する上で有利となっている。
【００７５】
次に、第４の参考例と同様の構成が固体撮像装置に適用された第５の参考例について説明する。
図５１（Ａ）は固体撮像装置の分解斜視図、（Ｂ）は固体撮像装置の平面図である。
固体撮像装置９２は、パッケージ９３と、撮像素子２９と、防塵カバー９４とを備えている。
パッケージ９３に収容凹部９５が形成されている。
この収容凹部９５はパッケージ９３の平坦な上面９３Ａに開口している。
収容凹部９５には撮像素子２９が収容されている。
防塵カバー９４は上面９３Ａに当て付けられ、防塵カバー９４は接着剤Ｂにより上面９３Ａに取着され、収容凹部９５の開口９５Ａを閉塞している。
上面９３Ａの開口９５Ａの周囲の環状部分と、開口９５Ａの周囲に位置する防塵カバー９４の外周部との間に、接着剤Ｂが充填されている接着部９６Ａと、接着剤Ｂが充填されていない非接着部９６Ｂとが介在している。
【００７６】
上面９３Ａに接着部９６Ａを構成する接着剤Ｂが充填される接着剤充填用溝９７が形成されている。
接着剤充填用溝９７は、開口９５Ａの周囲で連続状に延在しており、接着剤充填用溝９７の延在方向の両端の間に接着剤充填用溝９７が形成されていない上面部分９３Ｂが残存している。
接着剤充填用溝９７に充填された接着剤Ｂによりパッケージ９３の上面９３Ａに防塵カバー９４が取着されている。
したがって、上面９３Ａの開口９５Ａの周囲の環状部分と、開口９５Ａの周囲に位置する防塵カバー９４の外周部との間に、接着剤Ｂが充填されている接着部９６Ａと、接着剤Ｂが充填されていない非接着部９６Ｂとが介在している。言い換えると、開口９５Ａの周囲において、上面９３Ａと防塵カバー９４との間に、接着部９６Ａと非接着部９６Ｂとが介在している。非接着部９６Ｂは、接着剤充填用溝９７が形成されていない上面部分９３Ｂを含んで構成され、非接着部９６Ｂでは、防塵カバー９４は上面９３Ａに当て付けられている。
接着部９６Ａでは、防塵カバー９４が上面９３Ａに当て付けられ、かつ、それらの間に接着剤Ｂが介在しているので、接着部９６Ａでは、開口９５Ａが気密に閉塞されている。
また、非接着部９６Ｂでは、防塵カバー９４が上面９３Ａに当て付けられているので、非接着部９６Ｂでは、厳密には気密とはいえないものの開口９５Ａが閉塞されている。
したがって、第５の参考例では、接着部９６Ａは、開口９５Ａの周囲で連続状に延在しており、非接着部９６Ｂは、接着部９６Ａの延在方向の両端の間に位置している。
なお、図５２に示すように、接着剤充填用溝９７は、上面９３Ａに交差するパッケージ９３の側面に開放状に形成されていてもよい。
【００７７】
第５の参考例によれば、温度上昇に伴い収容凹部９５内部の空間内の空気が膨張しても、防塵カバー９４と上面９３Ａとを合わせた構成の非接着部９６Ｂを設けているので、防塵カバー９４と上面９３Ａとの間に塵埃の侵入が阻止されかつ空気の流通が許容される微小な隙間が形成され、これにより、塵埃の収容凹部９５内への侵入が阻止されると同時に、非接着部９６Ｂを介して空気の出入りがなされ、防塵カバー３１の変形のおそれがなく、撮像素子２９で撮像される画像の品質を確保する上で有利となる。
【００７８】
なお、実施の形態では、撮像装置２０が組み込まれる電子機器１０が携帯電話機である場合について説明したが、本発明の撮像装置は、例えば、ＰＤＡ、ノート型パーソナルコンピュータなどの携帯情報端末、あるいは、デジタルスチルカメラ、ビデオカメラなどの種々の電子機器に広く適用可能である。
【図面の簡単な説明】
【００７９】
【図１】（Ａ）、（Ｂ）は撮像装置２０が組み込まれた電子機器の一例を示す外観図である。
【図２】撮像装置２０を構成するカメラモジュール２２とソケット２４の分解斜視図である。
【図３】ソケット２４の平面図である。
【図４】基板３０の平面図である。
【図５】カメラモジュール２２、ソケット２４およびカバー２６の分解斜視図である。
【図６】図５のＡＡ線断面図である。
【図７】図５のＢＢ線断面図である。
【図８】図７のＡ部拡大図である。
【図９】図５のＣ矢視図である。
【図１０】変形例の撮像装置２０の断面図である。
【図１１】変形例の撮像装置２０を構成するカメラモジュール２２とソケット２４の分解斜視図である。
【図１２】カメラモジュール２２の斜視図である。
【図１３】カメラモジュール２２の斜視図である。
【図１４】カメラモジュール２２の分解斜視図である。
【図１５】カメラモジュール２２の組み立て説明図である。
【図１６】図１３のＡＡ線断面図である。
【図１７】前鏡筒７８に前スプリング７０Ａが取着された後面図である。
【図１８】コイル７６が取着された後鏡筒８０の斜視図である。
【図１９】コイル７６が取着された後鏡筒８０の斜視図である。
【図２０】コイル７６および基板３０が取着された後鏡筒８０の斜視図である。
【図２１】コイル７６および基板３０が取着された後鏡筒８０の斜視図である。
【図２２】後鏡筒８０の平面図である。
【図２３】基板３０、光学フィルタ３１およびコイル７６が取着された後鏡筒８０の平面図である。
【図２４】図２０のＢＢ線断面図である。
【図２５】マグネット７４が取着されたレンズ保持部６８の斜視図である。
【図２６】マグネット７４および後スプリング７０Ｂが取着されたレンズ保持部６８６８の斜視図である。
【図２７】マグネット７４および後スプリング７０Ｂが取着されたレンズ保持部６８６８の平面図である。
【図２８】レンズ保持部６８の後面図である。
【図２９】後スプリング７０Ｂが取着されたレンズ保持部６８の後面図である。
【図３０】レンズ保持部６８の傾きを防止できるようにしたカメラモジュール２２の断面図である。
【図３１】カメラモジュール２２の後鏡筒８０の平面図である。
【図３２】レンズ保持部６８の後面図である。
【図３３】マグネット７４とコイル７６の動作説明図である。
【図３４】カメラモジュール２２の分解斜視図である。
【図３５】カメラモジュール２２の組み立て説明図である。
【図３６】カメラモジュール２２の断面図である。
【図３７】後鏡筒８０の斜視図である。
【図３８】図３７のＡＡ線断面図である。
【図３９】レンズ保持部６８が後鏡筒８０に収容された状態を示す斜視図である。
【図４０】マグネット８２とコイル８４の動作説明図である。
【図４１】マグネット８２とコイル８４の動作説明図である。
【図４２】カメラモジュール２２のレンズ保持部６８が後鏡筒８０に収容された状態を示す斜視図である。
【図４３】カメラモジュール２２の断面図である。
【図４４】後鏡筒８０の断面図である。
【図４５】マグネット８２とコイル８４の動作説明図である。
【図４６】ゴースト発生の説明図である。
【図４７】防塵カバー３１、鏡筒部６６、撮像素子２９、基板３０の組み立て説明図である。
【図４８】後端面壁８００２の平面図である。
【図４９】防塵カバー３１の取り付け説明図である。
【図５０】（Ａ），（Ｂ）は防塵カバー３１の取り付け状態を示す断面説明図である。
【図５１】（Ａ）は固体撮像装置の分解斜視図、（Ｂ）は固体撮像装置の平面図である。
【図５２】他の固体撮像装置の分解斜視図である。
【符号の説明】
【００８０】
２２……カメラモジュール、２９……撮像素子、３４……撮影光学系、６６……鏡筒部、６８……レンズ保持部、７０……スプリング、７２……駆動部、７８……外側鏡筒、８０……内側鏡筒、８２……マグネット、８４……コイル、８６……係止板、８６Ａ……前板部、８６Ｂ……側板部、８００２……後端面壁、Ｓ……収容空間。
【図１】
2008111867.tif 000003
【図２】
2008111867.tif 000004
【図３】
2008111867.tif 000005
【図４】
2008111867.tif 000006
【図５】
2008111867.tif 000007
【図６】
2008111867.tif 000008
【図７】
2008111867.tif 000009
【図８】
2008111867.tif 000010
【図９】
2008111867.tif 000011
【図１０】
2008111867.tif 000012
【図１１】
2008111867.tif 000013
【図１２】
2008111867.tif 000014
【図１３】
2008111867.tif 000015
【図１４】
2008111867.tif 000016
【図１５】
2008111867.tif 000017
【図１６】
2008111867.tif 000018
【図１７】
2008111867.tif 000019
【図１８】
2008111867.tif 000020
【図１９】
2008111867.tif 000021
【図２０】
2008111867.tif 000022
【図２１】
2008111867.tif 000023
【図２２】
2008111867.tif 000024
【図２３】
2008111867.tif 000025
【図２４】
2008111867.tif 000026
【図２５】
2008111867.tif 000027
【図２６】
2008111867.tif 000028
【図２７】
2008111867.tif 000029
【図２８】
2008111867.tif 000030
【図２９】
2008111867.tif 000031
【図３０】
2008111867.tif 000032
【図３１】
2008111867.tif 000033
【図３２】
2008111867.tif 000034
【図３３】
2008111867.tif 000035
【図３４】
2008111867.tif 000036
【図３５】
2008111867.tif 000037
【図３６】
2008111867.tif 000038
【図３７】
2008111867.tif 000039
【図３８】
2008111867.tif 000040
【図３９】
2008111867.tif 000041
【図４０】
2008111867.tif 000042
【図４１】
2008111867.tif 000043
【図４２】
2008111867.tif 000044
【図４３】
2008111867.tif 000045
【図４４】
2008111867.tif 000046
【図４５】
2008111867.tif 000047
【図４６】
2008111867.tif 000048
【図４７】
2008111867.tif 000049
【図４８】
2008111867.tif 000050
【図４９】
2008111867.tif 000051
【図５０】
2008111867.tif 000052
【図５１】
2008111867.tif 000053
【図５２】
2008111867.tif 000054